(57)【要約】      （修正有）【課題】できる限り軽量なプラスチックパッケージを形成すること。【解決手段】本発明のボトル１は、強度と剛性とのバランスをとりつつフープ強度を維持するために深さが変化するリブ２を有してもよい。深さが変化するリブは、平坦かつ／または深さの小さいリブ６部分から深いリブ２部分へ向けて、ボトルの外周回りで滑らかに移行してもよく、平坦かつ／または深さの小さいリブの集まりは、曲げ、傾き、崩れ、および／または伸びに抗するよう、ボトル本体における凹状円柱部として機能する。平坦かつ／または深さの小さいリブと深いリブとのバランスは、軽量なボトルにおける強度を維持しつつ、所望の曲げ、傾き、および／または伸びに対する所望の耐性を得るよう実現される。【選択図】図１Ａ
2019206394.tif 000002
【特許請求の範囲】
【請求項１】
容器であって、前記容器は、
ベースと；
前記ベースに接続される側壁であって、前記側壁は、前記容器の内部の少なくとも一部を規定するよう実質的に中心軸線に沿って所定長さにわたって延在し、前記側壁は、ラベル部外周を規定するラベル部と、グリップ部外周を規定するグリップ部と、を備える、側壁と；
前記側壁に接続されるベル形状部であって、前記ベル形状部が、前記ベル形状部に接続される終端部へ向けて上方にかつ半径方向内側に延在しており、前記終端部が、クロージャを受容するよう構成されている、ベル形状部と；
前記グリップ部において前記側壁に沿って配置された複数の深さが変化するリブであって、深さが変化するリブのそれぞれが、浅い区間と、中間区間と、深い区間と、を備える、深さが変化するリブと；
を備え：
前記浅い区間は、前記中間区間のリブの深さよりも小さな深さのリブを有し、かつ前記深い区間は、前記中間区間の前記リブの深さよりも大きな深さのリブを有し；
前記複数の深さが変化するリブの前記浅い区間が、前記中心軸線に沿って略垂直方向に整列され、かつ凹状円柱部を形成し；
前記凹状円柱部は、曲げ、傾き、崩れまたは伸びのうちの少なくとも１つに耐えるよう構成されており、
前記深い区間は、フープ強度を提供するよう構成されることを特徴とする容器。
【請求項２】
前記複数の深さが変化するリブは、漸進的な移行または急進的な移行の少なくとも一方となるように、前記浅い区間から、前記深い区間へ向けて、前記中間区間へ移行することを特徴とする請求項１に記載の容器。
【請求項３】
前記複数の深さが変化するリブは、台形、三角形、円形、四角形、楕円形または半球のうちの少なくとも１つの形状を有することを特徴とする請求項１に記載の容器。
【請求項４】
前記複数の深さが変化するリブの少なくとも１つは、前記側壁の周りで湾曲していることを特徴とする請求項１に記載の容器。
【請求項５】
深さが変化するリブのそれぞれは、複数の浅い区間と、複数の中間区間と、複数の深い区間と、を有することを特徴とする請求項１に記載の容器。
【請求項６】
前記複数の深さが変化するリブのそれぞれの前記複数の浅い区間が、前記中心軸線に沿って略垂直方向に整列されており、かつ複数の凹状円柱部を形成し、それにより、前記凹状円柱部は、曲げ、傾き、崩れまたは伸びのうちの少なくとも１つに耐えるよう構成されることを特徴とする請求項５に記載の容器。
【請求項７】
前記ベースと前記側壁との間もしくは前記側壁と前記ベル形状部との間の少なくとも一方又は前記ベースと前記側壁との間及び前記側壁と前記ベル形状部との間の双方で実質的に前記側壁に沿って配置された一定の深さのリブをさらに備えることを特徴とする請求項１に記載の容器。
【請求項８】
前記ベル形状部は、前記中心軸線から前記ベル形状部の壁へ向けて測定された少なくとも１２０度の鈍角を有することを特徴とする請求項１に記載の容器。
【請求項９】
前記浅い区間の前記リブの深さが、０ミリメートルから２．５ミリメートルの間であることを特徴とする請求項１に記載の容器。
【請求項１０】
前記浅い区間の前記リブの深さが、０ミリメートルであることを特徴とする請求項１に記載の容器。
【請求項１１】
前記深い区間の前記リブの深さが、１ミリメートルから１０ミリメートルの間であることを特徴とする請求項１に記載の容器。
【請求項１２】
前記凹状円柱部は、前記側壁の略全長延在していることを特徴とする請求項１に記載の容器。
【請求項１３】
容器であって、前記容器は、
ベースと；
前記ベースに接続される側壁であって、前記側壁は、前記容器の内部の少なくとも一部を規定するよう、所定の外周を有しかつ前記ベースから上方に延在する略シリンダ状壁部を規定し、前記側壁は、ラベル部外周を規定するラベル部と、グリップ部外周を規定するグリップ部と、を備える、側壁と；
前記側壁に接続されるベル形状部であって、前記ベル形状部が、前記ベル形状部に接続される終端部へ向けて上方にかつ半径方向内側に延在しており、前記終端部が、クロージャを受容するよう構成されている、ベル形状部と；
実質的に前記シリンダ状壁部に沿って配置された複数の深さが変化するリブであって、深さが変化するリブのそれぞれが、複数の浅い区間と、複数の中間区間と、複数の深い区間と、を備える、深さが変化するリブと；
を備え：
前記複数の浅い区間は、前記複数の中間区間のリブの深さよりも小さな深さのリブを有し、かつ前記深い区間は、前記複数の中間区間の前記リブの深さよりも大きな深さのリブを有し；
前記深さが変化するリブの前記複数の浅い区間が、前記側壁上で略垂直方向に整列され、曲げ、傾き、崩れまたは伸びのうちの少なくとも１つに耐える複数の凹状円柱部を形成し；
前記複数の深い区間および前記複数の中間区間が、前記複数の深さが変化するリブのリブにおいて前記シリンダ状壁部外周の少なくとも７０％を含むことを特徴とする容器。
【請求項１４】
前記複数の深い区間および前記複数の中間区間が、前記リブにおいて前記シリンダ状壁部外周の７０％〜８０％を含むことを特徴とする請求項１３に記載の容器。
【請求項１５】
前記複数の凹状円柱部が、前記シリンダ状壁部周りで互いから等距離に配置されていることを特徴とする請求項１３に記載の容器。
【請求項１６】
前記浅い区間の前記リブの深さが、０ミリメートルであることを特徴とする請求項１３に記載の容器。
【発明の詳細な説明】
【技術分野】
【０００１】
関連出願の相互参照
本出願は、「深さが変化するリブを備えるプラスチック容器（Plastic Container with Varying Depth Ribs）」の名称で２０１１年１２月５日付で提出された米国特許仮出願公開第61／567，086号に対して優先権を主張するものであり、この参照によりその全体が本明細書に組み込まれかつ本明細書の一部であると認められるべきである。
【背景技術】
【０００２】
本発明は基本的にプラスチック容器に関し、特に変形に耐性があると同時に液体を保持するよう構成されたプラスチック容器に関するものである。
【０００３】
関連する技術の説明
プラスチック容器は、ここ数十年にわたって飲料のパッケージングにおけるガラスまたは金属の容器に取って代わるものとして使用されている。今日の飲料用容器の形成に使用される最も一般的なプラスチックは、ポリエチレンテレフタラート（ＰＥＴ）である。ＰＥＴから形成される容器は透明であり、壁が薄く、かつその内容物によって容器の壁に掛かる力に耐えることによってその形状を保持する能力を有する。ＰＥＴ樹脂はまた手頃な価格であり、加工が容易である。ＰＥＴボトルは、通常、ＰＥＴ樹脂の射出成型によって形成されるプラスチックプリフォームをブロー成形することを含む加工によって形成される。
【０００４】
プラスチックパッケージングの利点として、重量がより小さく、ガラスと比較して破損が少なく、製造および輸送の両方を考慮した場合に全体的にコストが抑えられることが挙げられる。プラスチックパッケージングはガラスに比べて軽量であるが、依然として、良好な機械的特性を呈する一方でより少ない量のプラスチックを含む容器を製造して使用することにより製造および輸送にかかるコストを最小にするために、できる限り軽量なプラスチックパッケージを形成することに大きな関心が払われている。
【発明の概要】
【課題を解決するための手段】
【０００５】
ボトリング産業は、ケースまたはパレットから補助的な包装をなくす方向に動いている。ボトルのケースが板紙を含まずフィルムのみを備える場合、補助的な包装の「フィルムオンリーコンバージョン」または「軽量化」と呼ばれる。板紙などの支持要素の除去は、ボトルに付加的な応力をもたらし、ボトルへの構造上の要求を高める。特定の実施形態において、ボトルデザインは、曲げや局所的な負荷による破損を低減できるという１つ以上の利点を提供できる。開示されるデザインの実施形態は、ブロー成形の容易性を維持しつつ、輸送および取扱い中の応力を緩和できる（フィルムのみのパッケージングも含む）。特定の実施形態において、そのボトルデザインは、同じまたは同様の機械的パフォーマンスのためにより少ない量の樹脂を使用して、軽量の製品をもたらすものである。
【０００６】
本明細書に開示されるボトルの実施形態は、クリープおよび応力緩和の粘弾性特性を有するポリエチレンテレフタラート（ＰＥＴ）を使用してもよい。プラスチックとして、ＰＥＴおよび他の樹脂は、使用中に一般的に見られる温度で応力緩和をする傾向がある。この応力緩和は、歪みに応じて軽減する時間依存性応力である。曲げは、引張負荷に見られる歪みを超える過大な歪みをもたらす可能性がある。この過大な歪みにより、曲げにおける応力弛緩はより重要なものとなる。曲げは、多様な長さスケールで起こる。曲げは、ボトルの長さスケールまたは小さな長さスケールで起こり得る。ボトルの長さスケールでの曲げの一例は、使用者が手でボトルを曲げること、あるいはパレットでケースに詰められる間に起こる曲げが挙げられる。小さなスケールでの曲げの例として、リブの屈曲や折れ、またはボトルの壁における他の小さな特徴部の曲げや折れが挙げられる。最初のより大きな長さスケールの曲げに応じて、リブは、局所的なより小さな長さスケールで屈曲する。この時、リブがその状態で保持された場合、リブは応力弛緩を経て永続的に変形するだろう。
【０００７】
さらに本明細書に開示されるボトルの実施形態は圧力を受けることがある。ボトル内部の圧力は、ボトルが収容する炭酸飲料によってもたらされ得る。ボトル内部の圧力は、ボトリングおよびパッケージング中に実施される加圧処理または加圧工程によって発生できる。例えばボトルは、ボトルの形状の保持の助けとなるよう加圧可能である。別の例として、ボトルは、ボトル内に収容される飲料の保存に役立つように特定のガスで加圧可能である。
【０００８】
本明細書に開示されるボトルの実施形態は、深さが変化するリブを有する。これらリブは、フープ強度（hoop strength）を維持しつつ上述の曲げに耐えるように強度と剛性とのバランスを取るものである。深さが変化するリブは、平坦かつ／または深さの小さいリブ部分から深いリブ部分へボトルの外周回りで滑らかに移行できる。平坦かつ／または深さの小さいリブの集まりは、ボトル本体における凹状円柱部として機能する。この凹状円柱部は、傾き（leaning）および崩れ（crumbling）に耐えるよう、曲げ負荷応力および上方負荷応力を壁に沿って拡散する。平坦かつ／または深さの小さいリブの集まりは、例えば圧力がかけられた際のボトルの伸びを妨げるよう、加圧時にボトルがボトル自体の形状を保持するのを補助できる。ボトルの伸びを妨げることは、例えばボトルが略一定の高さを維持することによって本明細書に開示されるボトルのパッケージングに役立つように所望のボトル形状を保持するのに有用である。ボトルの伸びを妨げることは、ボトルのラベル部にラベルを付加することにも役立つことができる。例えばボトルにラベルを付加する場合、ボトルの伸びを防止することは、ラベルパネル部におけるボトルの長さまたは高さを一定に保持することに役立ち、これはまた、ラベルの引裂きを防ぎかつ／またはラベルがボトルから少なくとも部分的に剥がれること（例えばボトルとラベルとの間の接着剤の破断）を防ぐのに役立ち得る。
【０００９】
深いリブ部分は、フープ強度を提供し、かつ使用者に把持される際に、ボトル本体をより硬くかつ／またはより強くする。平坦かつ／または浅いリブと深いリブとのバランスは、軽量なボトルの剛性を維持しつつ、曲げ、傾き、および／または伸びに対する所望の耐性を達成するようになされてもよい。いくつかの実施形態において、上述の所望の特性のいくつかは、ボトルの勾配の急なベル形状部により、さらに実現されてもよい。勾配の急なベル形状部は、軽量なベル形状部における上方負荷パフォーマンスを高めることができる。軽量なボトル本体およびベル形状部は、ボトルのより厚手のベースのために多くの樹脂を残し、それにより安定性を高めることができる。厚手のベースは、曲げ応力および上方負荷応力に対してより良好な耐性を有しており、かつパッケージング中、輸送中、および／または取扱い中にベースが損傷された場合でさえも耐え得るようにボトルの直径に対してより大きなベース直径を備えるデザインに有利である。
【００１０】
本明細書に開示される容器はベースを備える。この容器はグリップ部をさらに備え、当該グリップ部は、一定の深さのベースリブを介してベースに接続され、かつ中心軸線に略垂直なグリップ部外周を規定する。容器は、グリップ部に接続されかつ中心軸線に略垂直なラベル部外周を規定するラベルパネル部をさらに備えることができる。容器はさらにベル形状部を備えることができる。ベル形状部は、中心軸線からベル形状部の壁へ向けて測定された少なくとも１２０度の鈍角を備えており、かつ前記ベル形状部は、ショルダを介してラベルパネル部に接続されており、かつ、ベル形状部に接続される終端部へ向けて上方および半径方向内側に延在しており、当該終端部は、クロージャを受容するよう構成されている。容器は、実質的にグリップ部の外周に沿って配置される複数の湾曲しかつ深さが変化するリブをさらに備える。湾曲しかつ深さが変化するリブは、複数の浅い区間と、複数の中間区間と、複数の深い区間と、を備える。容器は、実質的にラベル部の外周に沿って配置された複数の一定の深さのリブをさらに備えることができる。浅い区間は、中間区間のリブの深さよりも深さの小さいリブを有する。深い区間は、中間区間のリブの深さより深さの大きいリブを有する。深さが変化するリブの浅い区間は、中心軸線に沿って略垂直方向に配置されかつ凹状円柱部を形成できる。凹状円柱部は、曲げ、傾斜、崩れまたは伸びのうちの少なくとも１つに耐えるよう構成されている。複数の深い区間は、フープ強度を提供するよう構成される。
【００１１】
本明細書に開示される容器は、ベースを備える。この容器はグリップ部をさらに備えることができ、当該グリップ部は、一定の深さのベースリブを介してベースに接続され、かつ中心軸線に略垂直なグリップ部外周を規定する。容器はラベルパネル部をさらに備えることができ、当該ラベルパネル部は、グリップ部に接続され、かつ中心軸線に略垂直なラベル部外周を規定する。容器はさらにベル形状部を備えることができ、当該ベル形状部は、中心軸線からベル形状の壁へ向かって測定された少なくとも１２０度の鈍角を備えており、ショルダを介してラベルパネル部に接続されており、かつベル形状に接続される終端部へ向けて上方にかつ半径方向内側に延在しており、当該終端部はクロージャを受容するよう構成されている。この容器は、実質的にグリップ部の外周に沿って配置された複数の湾曲しかつ深さが変化するリブをさらに備えることができる。湾曲しかつ深さが変化するリブのそれぞれは、複数の浅い区間と、複数の中間区間と、複数の深い区間とを備える。容器は、実質的にラベル部の外周に沿って配置される複数の深さが変化するリブを備えることができる。深さが変化するリブのそれぞれは、複数の浅い区間と、複数の中間区間と、複数の深い区間とを備える。湾曲しかつ深さが変化するリブの浅い区間は、湾曲しかつ深さが変化するリブの中間区間のリブの深さより深さの小さいリブを有する。湾曲しかつ深さが変化するリブの深い区間は、湾曲しかつ深さが変化するリブの中間区間のリブの深さよりも深さが大きいリブを有する。深さが変化するリブの浅い区間は、深さが変化するリブの中間区間のリブの深さより深さが小さいリブを有する。深さが変化するリブの深い区間は、深さが変化するリブの中間区間のリブの深さより深さが大きいリブを有する。湾曲しかつ深さが変化するリブの浅い区間は、中心軸線に沿って略垂直方向に整列されており、かつ第１の複数の凹状円柱部を形成する。深さが変化するリブの浅い区間は、中心軸線に沿って略垂直方向に整列されており、かつ第２の複数の凹状円柱部を形成する。第１および第２の複数の凹状円柱部は、曲げ、傾き、崩れまたは伸びの少なくとも１つに耐えるよう構成されている。複数の深い区間は、フープ強度を提供するよう構成される。
【００１２】
いくつかの実施形態において、第１の複数の凹状円柱部は、中心軸線に沿って、第２の複数の凹状円柱部とともに略垂直方向に整列されており、かつ／またはラベル部の深さが変化するリブは湾曲している。
【００１３】
本明細書に開示される容器はベースを備える。容器はベースに接続される側壁をさらに備える。当該側壁は、中央軸線に対して略垂直な側壁外周を規定し、容器の内部の少なくとも一部を規定するよう実質的に中心軸線に沿って延在する。容器は、側壁に接続されるベル形状部をさらに備えることができる。ベル形状部は、ベル形状部に接続される終端部へ向けて上方にかつ半径方向内側に延在しており、当該終端部はクロージャを受容するよう構成されている。この容器は、実質的に側壁外周に沿って配置される深さが変化する溝をさらに備える。深さが変化するリブは、浅い区間と、中間区間と、深い区間と、を備える。浅い区間は、中間区間のリブの深さより深さが小さいリブを有する。深い区間は、中間区間のリブの深さより深さが大きいリブを有する。リブの浅い区間は、曲げ、傾き、崩れまたは伸びの少なくとも１つに耐えるよう構成される。深い区間は、フープ強度を提供するよう構成される。
【００１４】
いくつかの実施形態において、深さが変化するリブは、漸進的な移行または急進的な移行の少なくとも一方となるように、浅い区間から中間区間へ、そして深い区間へ移行する；深さが変化するリブは、台形、三角形、円形、四角形、楕円形、または半球形のうちの少なくとも１つの形状を有する；深さが変化するリブは、側壁外周回りで湾曲している；深さが変化するリブは、複数の浅い区間と、複数の中間区間と、複数の深い区間と、を有する；容器は複数の深さが変化するリブをさらに備えており、少なくとも２つの浅い区間が中心軸線に沿って略垂直に整列されかつ凹状円柱部を形成し、それにより凹状円柱部は、曲げ、傾き、崩れまたは伸びの少なくとも１つに耐えるよう構成される；複数の深さが変化するリブは、複数の浅い区間と、複数の中間区間と、複数の深い区間とを有する；容器は、一定の深さのリブをさらに備える；かつ／または、ベル形状部は、中心軸線からベル形状部の壁へ測定された少なくとも１２０度の鈍角を有する。
【００１５】
上記説明は概略であり、そのため必然的に単純化、一般化および詳細の省略となる；したがって当業者にはこうした概略が単なる例示であり、それに制限されるよう意図されていないことは明らかであろう。デバイスおよび／またはプロセスの他の態様、特徴部および利点、および／または本明細書に記載される他の対象となる事項は本明細書における説明から明らかになろう。上記概要は、以下の詳細な説明でさらに説明されるコンセプトの抜粋を単純化された形式で導入するために提供されたものである。この概要は、本明細書に記載される対象となる事項の重要な特徴部または本質的な特徴部を特定するよう意図したものではない。
【００１６】
上述の本発明の他の特徴部は、添付の図面に関連する以下の説明からより完全に明らかとなろう。これら図面はその説明に関連するいくつかの実施形態しか図示しておらず、それゆえ本発明の範囲はそれに限定されると考えられるものではないと理解されるものであり、こうした開示は、添付の図面を使用して付加的な特徴部および詳細を説明するものである。
【図面の簡単な説明】
【００１７】
【図１Ａ】ボトルの一実施形態の３Ｄレンダリングを示す図である。
【図１Ｂ】ボトルの一実施形態の３Ｄレンダリングを示す図である。
【図２Ａ】リブの深さが変化する特徴部を例示する実施形態の３Ｄレンダリングを示す図である。
【図２Ｂ】リブの深さが変化する特徴部を例示する実施形態の３Ｄレンダリングを示す図である。
【図３】深いリブの断面図を例示する一実施形態を示す図である。
【図４】中間リブの断面を例示する一実施形態を示す図である。
【図５】平坦かつ／または浅いリブの断面を例示する一実施形態を示す図である。
【図６Ａ】ボトルの一断面を例示する実施形態を示す図である。
【図６Ｂ】ボトルの一断面を例示する実施形態を示す図である。
【図７Ａ】ラベルパネルリブの一断面を例示する実施形態を示す図である。
【図７Ｂ】ラベルパネルリブの一断面を例示する実施形態を示す図である。
【図８】ベースリブを例示する一実施形態を示す図である。
【図９Ａ】ボトルのワイヤフレーム実施形態を例示する一実施形態を示す図である。
【図９Ｂ】１２０°回転された、図９Ａのボトルのワイヤフレーム実施形態を例示する一実施形態を示す図である。
【図９Ｃ】ボトルのワイヤフレーム実施形態を例示する一実施形態を示す図である。
【図９Ｄ】１２０°回転された、図９Ｃのボトルのワイヤフレーム実施形態を例示する一実施形態を示す図である。
【図１０Ａ】ボトルの中心軸線に沿ったボトルの断面を例示する一実施形態を示す図である。
【図１０Ｂ】ボトルの中心軸線に沿ったボトルの断面を例示する一実施形態を示す図である。
【図１１】ベル形状部の角度を例示する一実施形態を示す図である。
【図１２】ボトルのプリフォームを示す図である。
【発明を実施するための形態】
【００１８】
以下の詳細な説明において、その一部を形成する図面には参照符号が付されている。これら図面において、同様の参照符号は、他に説明がなければ基本的に同じ構成要素を特定する。詳細な説明および図面に示される例示的な実施形態は、それに限定されることを意図していない。本発明の趣旨および特許請求の範囲に記載される範囲から逸脱しない限りは、他の実施形態が使用されてもよく、他の変更がなされてもよい。本発明の態様は、基本的に本明細書に開示されかつ図面に図示されるように、さまざまな構成の幅広い形式で構成され、置換され、組み合わせられ、かつ設計されてもよく、そのすべてがはっきりと検討されておりかつ本開示の一部を構成することを理解されたい。
【００１９】
特に本明細書には、加工の容易性と現在市販されているデザインに関連付けられた優れた構造的特性とを維持しつつ、その構成においてより少ないプラスチックを利用する、プリフォームおよび容器を含む物品が開示される。
【００２０】
図１Ａによれば、容器の一実施形態は、ベースリブ２２へ続くベース２４を備えるボトル１である。ベース２４には、複数のグリップ部リブ３を備えるグリップ部８が接続される。図１Ａに図示されるように（グリップ部８に配置される）グリップ部リブ３は、後述のように深いリブ２と中間リブ４と平坦かつ／または浅いリブ６とからなる少なくとも３つの部分となるように区分または移行することによってその深さが変化し得る。図示される実施形態において、グリップ部リブ３は、グリップ部８の周囲で旋回または湾曲している。いくつかの実施形態において、グリップ部リブ３は、直線的なリブおよび旋回するリブまたは湾曲するリブの組み合わせを含むように（ラベル部１０に配置される）ラベルパネルリブ２０などの直線的かつ／または一定の深さのリブを含む。
【００２１】
図１Ａを参照すると、ラベル部１０は、グリップ部８に接続されており、かつ１つ以上のパネルリブ２０を備える。いくつかの実施形態において、ラベルパネルリブ２０は、本明細書に開示されるように、直線的なリブおよび旋回するリブまたは湾曲するリブとの組み合わせからなる。ラベルパネル部１０は、ベル形状部１６に接続するショルダ１８に移行する。ベル形状部１６は、スカラップ（図示されるように含む）あるいは他のデザイン特徴部を含んでもよい。もしくはベル形状部１６は、平滑であり、かつ基本的に装飾されなくてもよい。ベル形状部１６はネック１４に接続し、ネック１４は終端部１２に接続する。ベル形状部１６は、ラベル部１０からネック１４および終端部１２へ向けて、上方にかつ中心軸線２５に対して半径方向内側へ向かって延在する。終端部１２は、ボトル１の内容物を密閉するためのクロージャを受容するよう構成できる。終端部１２は、飲料および／または他の内容物を収容するためのボトル１の内部へ通じる開口１１を規定する。その内部は、終端部１２、ネック１４、ベル形状部１６、ショルダ１８、ラベル部１０、グリップ部８またはベース２４のうちの少なくとも１つにより規定可能である。
【００２２】
ベース２４とベル形状部１６との間にグリップ部８とラベル部１０とを備え、ボトル１の側壁と考えられる略垂直壁が、ボトル１の内部の少なくとも一部を規定するよう実質的に中心軸線２５に沿って延在する。側壁の外周は、その内部の中心軸線２５に実質的に垂直である。側壁は、ボトル１の内部の少なくとも一部を規定する。終端部１２、ネック１４、ベル形状部１６、ショルダ１８、ラベル部１０、グリップ部８およびベース２４はそれぞれ、その部分に対応する（中心軸線２５に実質的に直交する）各々の外周を規定できる。例えば、ラベル部１０は、ラベル部外周を有する。別の例では、グリップ部８は、グリップ部外周を有する。
【００２３】
図１Ｂに図示されるように、ラベル部１０ｂは、深さが変化するラベルパネルリブ２０ｂを有してもよい。ラベルパネルリブ２０は、以下に詳述するように深いリブ２ｂと中間リブ４ｂと平坦かつ／または浅いリブ６ｂとからなる少なくとも３つの部分に区分または移行することによって、その深さが変化し得る。図１Ｂに図示されるように、ラベルパネルリブ２０ｂは、ラベル部外周の周りでは直線的である。いくつかの実施形態において、ラベルパネルリブ２０ｂは、直線的なリブと旋回または湾曲リブとの組み合わせからなる。図１Ｂに図示されるように、ラベル部１０ｂは、３つのラベルパネルリブ２０ｂを有してもよい。いくつかの実施形態において、ラベル部１０ｂは、１、２、４、５、６、７、８、９、１０、１１または１２のパネルリブ２０ｂを有しており、幅広い範囲が含まれかつ上述の値が含まれる。
【００２４】
ベースリブ２２、グリップ部リブ３および／またはラベルパネルリブ２０、２０ｂを含むリブの数は、ボトルのリブを含む部分のうち１０センチメートルごとに、１から３０の間で変化してもよいが、グリップ部８および／またはラベルパネル部１０は、これに限定されず、１０センチメートルごとに１、２、３、４、５、６、７、８、９、１０、１１、１２、１３、１４、１５、１６、１７、１８，１９、２０、２１、２２、２３、２４、２５、２６、２７、２８または２９のリブを含んでもよく、幅広い範囲が含まれかつ上記数値も含まれる。リブの数を測定するために使用された上述の１０センチメートル区間は、実際には１０センチメートルの長さである必要はない。むしろ、この１０センチメートルは、リブの数に関する割合を示すために例示的に使用されたものである。さらに特定の実施形態において、図示されるベースリブ２２、グリップ部リブ３および／またはラベルパネルリブ２０、２０ｂを含むリブの断面は、以下に述べるように台形または三角形であるが、これらリブは、それに限定されず、円形、四角形、楕円形、半球形などの公知の形状を有していてもよい。ボトルの底部は、ベース２４を含み、当該ベース２４は、従来公知のまたは図示されるような適切なデザインのものからなる。
【００２５】
図２Ａに図示される実施形態において、グリップ部リブ３のそれぞれは、深いリブ２区間と、中間リブ４区間と、平坦かつ／または浅いリブ６区間とを備える。これら深いリブ区間、中間リブ区間、および浅いリブ区間は、簡潔に、深いリブ、中間リブ、浅いリブと称されてもよいが、これら用語は、グリップ部８とラベル部１０とベースリブ２２とにおけるリブの区間を規定するよう意図されたものであることを理解されたい。深さが変化するグリップ部リブ３は、深いリブ２から中間リブ４へ移行し、続いて平坦かつ／または浅いリブ６へ移行する。深さが変化するグリップ部リブ３は、深いリブ、中間リブおよび浅いリブのそれぞれを１つ以上組み合わせて備える。例えば、グリップ部リブは、（ボトルの外周回りで順に）深いリブ、中間リブ、浅いリブ、中間リブ、深いリブ、中間リブ、浅いリブ、中間リブ、深いリブ、中間リブ、浅いリブ、および中間リブを含んでもよい。図１Ａに図示されるように、リブ間の移行は、漸進的（ゆるやか）であってもよい。いくつかの実施形態において、この移行はより急進的（急激）である。中間リブ４の「中間」との語は、特定の深さのリブを意味しており、その位置を意味するものではない。
【００２６】
図２Ｂに図示される実施形態において、ラベルパネルリブ２０ｂのそれぞれは、深いリブ２ｂ区間と、中間リブ４ｂ区間と、平坦かつ／または浅いリブ６ｂ区間と、を備える。深さが変化するラベルパネルリブ２０ｂは、深いリブ２ｂから中間リブ４ｂへ移行し、続いて平坦かつ／または浅いリブ６ｂへ移行する。深さが変化するラベルパネルリブ２０ｂは、深いリブと中間リブと浅いリブとをそれぞれを１つ以上組み合わせて備える。例えば、ラベルパネルリブ２０ｂは、（ボトルの外周回りで順に）深いリブ、中間リブ、浅いリブ、中間リブ、深いリブ、中間リブ、浅いリブ、中間リブ、深いリブ、中間リブ、浅いリブおよび中間リブを含んでもよい。図１Ｂに図示されるように、リブ間の移行は漸進的である。いくつかの実施形態においては、この移行はより急進的である。中間リブ４ｂの「中間」との語は、特定の深さのリブを意味しており、その位置を意味するものではない。
【００２７】
図３から図５には、深いリブ２が、中間リブ４の深さＤｍより大きいＤｄのものであり、中間リブ４の深さＤｍは、平坦かつ／または浅いリブ６の深さＤｆより大きい実施形態が図示される。変化する深さＤｄ、ＤｍおよびＤｆ間の移行は図２Ａに図示されるように滑らかである。いくつかの実施形態においては、この移行は、グリップ部リブ３の深さが変化する部分または区間を接続するステップ状変化部などの他の形式のものである。図示された実施形態において、深さが変化するグリップ部リブ３は、３つの深いリブ２部分と、６つの中間リブ４部分と、３つの平坦かつ／または浅いリブ６部分と、を有する。本明細書に記載されるように、「部分」との語は、深さが変化するリブに関する「区間」との語と同等である。
【００２８】
図４、図７Ａおよび図７Ｂには、深いリブ２が中間リブ４ｂの深さＤｍより大きな深さＤＬのものであり、中間リブ４ｂの深さＤｍが、平坦かつ／または浅いリブ６ｂの深さＤｓより大きい実施形態が図示される。変化する深さＤＬ、ＤｍおよびＤｓ間の移行は、図２Ｂに図示されるように滑らかである。いくつかの実施形態においては、その移行は、ラベル部リブ２０ｂの深さが変化する部分または区間を接続するステップ状変化部などの他のなんらかの形態のものである。図示される実施形態において、深さが変化するラベル部リブ２０ｂは、３つの深いリブ２ｂ部分と、６つの中間リブ４ｂ部分と、３つの平坦かつ／または浅いリブ６ｂ部分と、を有する。
【００２９】
図６Ａによれば、垂直軸線または中心軸線２５を見下ろしたボトル１の断面を示す実施形態は、深さが変化するグリップ部リブ３の断面を例示する。本明細書に開示されるように「垂直軸線」との語は「中心軸線」との語と同等であり得る。深さが変化するグリップ部リブ３の深さは、深いリブ２から平坦かつ／または浅いリブ６の間で変化する。１つ以上の平坦かつ／または浅いリブ６は、図１Ａおよび図２Ａに図示されるように複数の平坦かつ／または浅いリブ６がボトル１の垂直軸線または中心軸線２５に沿って実質的に垂直に整列する部分において凹状円柱部７と同等のものを形成する。複数の深いリブ２は、図１Ａおよび図２Ａに図示されるようにボトル１の垂直軸線または中心軸線２５に沿って実質的に垂直に整列される。複数の中間リブ４は、図１Ａおよび図２Ａに図示されるようにボトル１の垂直軸線または中心軸線２５に沿って実質的に垂直に整列される。
【００３０】
図５に図示される３つの整列された平坦かつ／または浅いリブ６部分を備える実施形態において、ボトルはそれぞれ３つの凹状円柱部７を有する。図６に図示されるように、３つの凹状円柱部７は、ボトルの外周回りで等間隔で離間されていてもよく、かつボトル外周のうち深いリブ２部分の反対側に配置されていてもよい。いくつかの実施形態においては、平坦かつ／または浅いリブ６は、ボトル１の外周回りで不均等に離間されている。垂直軸線または中心軸線２５に沿って略垂直に整列される平坦かつ／または浅いリブ６の数を増減することによって、さまざまな数の凹状円柱部７がボトル１のデザインに包含され得る。例えば、ボトルは、１つだけの凹状円柱部７を有していても、あるいは２、３、４、５、６、７、８または９を含む１０までの凹状円柱部７を有していてもよく、幅広い範囲が含まれかつ上述の値が含まれる。凹状円柱部７を形成する平坦かつ／または浅いリブ６の集まりは、傾き、負荷による圧縮、および／または伸びへの耐性を提供する。傾きは、ボトルの包装中および／または包装後に起こる可能性があり、ボトルは、他のボトルおよび／またはそのボトルの上に積載された他の物体からの上方負荷力（接線力または別の力）にさらされる。同様に、上方負荷圧縮は、複数のボトルおよび／またはその上に積載された他の物体からの垂直方向の圧力（または別の力）により発生することがある。伸びは、ボトルが加圧された際に起こることがある。凹状円柱部７は、接線力または圧縮力を壁に沿ってベース２４へ伝達して、ボトル１の剛性を高める。グリップラベルリブ３の深いリブ２は、通常の深さのリブのフープ強度（円周強度）に相当し得るフープ強度を与える。平坦かつ／または浅いリブ６部分と同様に、深いリブ２部分は、グリップパネルリブ３におけるその数が、２、３、４、５、６、７、８または９の深いリブ２部分が含むように１から１０の間で変化してもよく、幅広い範囲が含まれかつ上記数値が含まれる。
【００３１】
図６Ｂによれば、垂直軸線または中心軸線２５を見下ろしたボトル１ｂの断面図を示す実施形態は、深さが変化するラベルパネルリブ２０ｂの断面を例示する。深さが変化するラベルパネルリブ２０ｂの深さは、深いリブ２ｂから平坦かつ／または浅いリブ６ｂの間で変化する。１つ以上の平坦かつ／または浅いリブ６ｂは、図１Ｂおよび図２Ｂに図示されるように複数の平坦かつ／または浅いリブ６ｂがボトル１ｂの垂直軸線または中心軸線２５に沿って略垂直に整列される部分において凹状円柱部７の同等物を形成する。凹状円柱部７ｂは、本明細書に開示されるようにグリップ部８の平坦かつ／または浅いリブ６を１つ以上含むことができる。複数の深いリブ２ｂは、図１Ｂおよび図２Ｂに図示されるように、ボトル１ｂの垂直軸線または中心軸線２５に沿って略垂直に整列される。複数の中間リブ４ｂは、図１Ｂおよび図２Ｂに図示されるようにボトル１ｂの垂直軸線または中心軸線に沿って略垂直に整列される。
【００３２】
図７Ｂに図示される３つの整列された平坦かつ／または浅いリブ６ｂ部分を備える実施形態において、ボトルはそれぞれ３つの凹状円柱部を有する。ラベルパネルリブ２０Ｂの平坦かつ／または浅いリブ６ｂは、３つの凹状円柱部７ｂを形成するようにグリップ部リブ３の平坦かつ／または浅いリブ６とともに、垂直軸線または中心軸線２５に沿って略垂直に整列できる。図１Ｂに図示されるように、凹状円柱部７ｂは、ボトル１ｂの側壁の（例えば高さおよび／または長さの）大部分またはほぼ全体に沿って延在してもよい。
【００３３】
いくつかの実施形態においては、ラベルパネルリブ２０Ｂの平坦かつ／または浅いリブ６ｂは、ラベル部１０が一連の凹状円柱部を有しかつグリップ部８が別の一連の凹状円柱部を有するように、グリップ部リブ３の平坦かつ／または浅いリブ６と垂直方向において整列されていない。そのため、ラベル部１０の凹状円柱部は、グリップ部８の凹状円柱部から垂直方向に整列不可能となる。
【００３４】
図１Ｂおよび図２Ｂに図示されるように、ラベル部１０の複数の深いリブ２ｂは、垂直軸線または中心軸線２５に沿って、グリップ部８の複数の深いリブ２と略垂直方向に整列する。いくつかの実施形態においては、ラベル部１０の複数の深いリブ２ｂは、グリップ部８の複数の深いリブ２と垂直方向に整列されない。ラベル部１０の複数の中間リブ４ｂは、図１Ｂおよび図２Ｂに図示されるように垂直軸線または中心軸線に沿ってグリップ部８の複数の中間リブ４と略垂直方向に整列している。いくつかの実施形態においては、ラベル部１０の複数の中間リブ４ｂは、グリップ部８の中間リブ４と垂直方向に整列されない。
【００３５】
図６Ｂに図示されるように、３つの凹状円柱部７ｂは、ボトルの外周回りで等間隔で離間されていてもよく、かつボトル外周のうち深いリブ２ｂ部分とは反対側に配置されていてもよい。いくつかの実施形態においては、平坦かつ／または浅いリブ６、６ｂは、ボトル１ｂの外周回りで不規則に離間されている。多数の凹状円柱部７ｂが、垂直軸線または中心軸線２５に沿って略垂直に整列する平坦かつ／または浅いリブ６の数を増減することによって、ボトル１ｂのデザインに包含されてもよい。例えば、ボトルは、１つだけの凹状円柱部７を有してもよく、あるいは２、３、４、５、６、７、８または９つの凹状円柱部７ｂを含むように１０までの凹状円柱部を有してもよく、幅広い範囲が含まれかつ上記数値が含まれる。凹状円柱部７ｂを形成する平坦かつ／または浅いリブ６ｂの集まりは、本明細書に記載されるように、傾き、圧縮荷重、および／または伸びに対する耐性を提供する。凹状円柱部７ｂは、接線力または圧縮力を壁に沿ってベース２４へ伝達してボトル１ｂの剛性を高める。ラベルパネルリブ２０ｂの深いリブ２ｂは、通常の深いリブのフープ強度に相当し得るフープ強度を提供する。平坦かつ／または浅いリブ６ｂ部分と同様に、深いリブ２ｂ部分は、その数が２、３、４、５、６、７、８または９つの深いリブ２ｂ部分を含むように、１から１０の間で変化してもよく、幅広い範囲が含まれかつ上述の数値が含まれる。
【００３６】
いくつかの実施形態においては、グリップパネルリブ３は、一定の深さのリブと上述の深さが変化するリブとの組み合わせからなる。例えば、深さが変化するリブと一定の深さのリブとの比は、１つのグリップ部リブ３おきに、または２つおき、３つおき、４つおき、５つおきあるいは６つおきとなるように変化してもよく、幅広い範囲が含まれかつ上記数値が含まれる。図１Ａにおいて、ボトル１のラベルパネルリブ２０またはベースリブ２２によって一定の深さのリブが例示される。図１Ａに図示された実施形態は、ラベルパネル部１０が一定の深さのラベルパネルリブ２０を有することを示す。なお、上述の深さが変化するリブおよび／または旋回するリブのさまざまな組み合わせおよび順番が、ボトル１のラベルパネル部１０に包含され得る。例えば、いくつかの実施形態においては、ラベルパネルリブ２０ｂは、上述の一定の深さのリブおよび深さが変化するリブの組み合わせからなる。例えば、一定の深さのリブと深さが変化するリブとの比は、１つのラベルパネルリブ２０ｂおきに、または２つおきに、３つおきに、４つおきに、５つおきにあるいは６つおきに変化してもよく、幅広い範囲が含まれかつ上記数値が含まれる。さらに、図示された実施形態は１つだけの一定の深さのベースリブ２２を示すが、さまざまな組み合わせおよび順番の上述の深さが変化するリブおよび／または旋回リブがボトル１のベース２４に組み込まれてもよい。一定の深さのベースリブ２２の形状は、図３〜図５に図示される形状または公知の形状であってもよい。
【００３７】
図３に図示される実施形態の深いリブ２の断面によれば、深いリブ２は、グリップ部８の一部であるランド２８を有し、ランド２８は外側放射状部３０に接続する。外側放射状部３０は、接続壁３２によって内側放射状部３４に連結される。内側放射状部３４は、谷壁３６によって深いリブ２の他側における反対側の内側放射状部３４に連結され、続いて接続壁３２に接続され、ランド２８に接続する外側放射状部３０に接続される。ランド２８から谷壁３６へ測定された深さＤｄは、１．１、１．２、１．３、１．４、１．５、１．６、１．７、１．８、１．９、２、２．１、２．２、２．３、２．４、２．５、２．６、２．７、２．８あるいは２．９ミリメートルを含む１から１０ミリメートルの間で、または１から９ミリメートル、１から７ミリメートル、１から５ミリメートル、もしくは１から３ミリメートルの間で変化してもよく、幅広い範囲が含まれかつ上記の数値も含まれる。谷壁３６の長さは、０．６、０．７、０．８、０．９、１、１．１、１．２、１．３、１．４、１．５、１．６、１．７、１．８、１．９、２、２．１、２．２、２．３、２．４、２．５、２．６、２．７、２．８あるいは２．９ミリメートルを含むように０．５から３ミリメートルの間で変化してもよく、幅広い範囲が含まれかつ上述の数値が含まれる。谷壁３６の長さに対するＤｄの比は、１：２、１：１、２：１、３：１、４：１、５：１、６：１、７：１、８：１、９：１、１０：１、１１：１、１２：１、１３：１、１４：１、１５：１、１６：１、１７：１、１８：１あるいは１９：１を含む１：３から２０：１の間で変更可能であり、幅広い範囲が含まれかつ上記数値が含まれる。内側放射状部３４の半径は、０．１５、０．２または０．２５ミリメートルを含む０．１から０．３ミリメートルの間で変化してもよく、幅広い範囲が含まれかつ上記数値が含まれる。２つの接続壁３２間の鋭角は、６２．５、６５、６７．５、７０、７２．５、７５または７７．５度を含む６０から８０度の間で変化してもよく、幅広い範囲が含まれかつ上記数値も含まれる。
【００３８】
図３の実施形態は、深いリブ２の断面が略台形の形状を形成することを示す。いくつかの実施形態においては、深いリブ２の断面形状は、図３〜図５に図示される形状のいずれかあるいは公知の形状である。上述のように、深いリブ２は、ボトル１のためのフープ強度を提供する。深いリブ２は、ボトル１をより硬くし、そのためグリップ部８において深いリブ２を有することが望まれてもよい。なお、大きな深さＤｄを有する深いリブ２は、ボトル１が上方負荷力を受けた状態でより容易な崩れを引き起こすことがある。ベースの直径Ｌｄまたはショルダの直径Ｌｓに対する深さＤｄの比（図１０Ａおよび図１０Ｂ参照）は、１：１０、１：２０、１：３０、１：４０、１：５０、１：６０、１：７０、１：８０、１：９０、１：１００、１：１１０、１：１２０、１：１３０または１：１４０を含む１：５から１：１５０の間で変化してもよく、幅広い範囲が含まれかつ上記数値が含まれる。したがって、本明細書に開示されるボトルの実施形態は、以下でさらに詳細に説明されるように深いリブ２の深さＤｄと図５の三角形リブ（あるいは他の公知の形状のリブ）に対する台形リブの比率とのバランスを取ることによって、所望の剛性と所望の上方負荷耐性および／または曲げ耐性とのバランスを取ることを目的とする。
【００３９】
図４に図示される実施形態の中間リブ４の断面を参照すると、中間リブ４は、グリップ部８の一部であるランド２８を備え、ランド２８は外側放射状部１３０に接続される。外側放射状部１３０は、接続壁１３２によって内側放射状部１３４に連結される。内側放射状部１３４は、谷壁１３６によって中間リブ４の他側における反対側の内側放射状部１３４に連結され、続いて接続壁３２に接続され、ランド２８へ接続する外側放射状部１３０に接続される。ランド２８から底壁１３６へ測定される深さＤｍは、０．６、０．７、０．８、０．９、１、１．１、１．２、１．３、１．４、１．５、１．６、１．７、１．８、１．９、２、２．１、２．２、２．３、２．４、２．５、２．６、２．７、２．８、２．９、３、３．１、３．２、３．３、３．４、３．５、３．６、３．７、３．８、３．９、４．０、４．１、４．２、４．３、４．４、４．５、４．６、４．７、４．８または４．９ミリメートルを含む０．５から５ミリメートルの間で変化してもよく、幅広い範囲が含まれかつ上記数値が含まれる。底壁１３６の長さは、０．４、０．５、０．６、０．７、０．８、０．９、１、１．１、１．２、１．３、１．４、１．５、１．６、１．７、１．８、１．９、２、２．１、２．２、２．３または２．４ミリメートルを含む０．３から２．５ミリメートルの間で変化してもよく、幅広い範囲が含まれかつ上記数値が含まれる。底壁１３６の長さに対する深さＤｍの比は、１：４、１：３、１：２、１：１、２：１、３：１、４：１、５：１、６：１、７：１、８：１、９：１、１０：１、１１：１、１２：１、１３：１、１４：１、１５：１、１６：１、１７：１、１８：１または１９：１を含む１：５から２０：１の間で変化してもよく、幅広い範囲が含まれかつ上記数値が含まれる。中間リブ４の深さＤｍに対する深いリブ２の深さＤｄの比は、２：１、３：１、４：１、５：１、６：１、７：１、８：１、９：１、１０：１、１１：１、１２：１、１３：１、１４：１、１５：１、１６：１、１７：１、１８：１または１９：１を含む１：１から２０：１の間で変化してもよく、幅広い範囲が含まれかつ上記数値が含まれる。内側放射状部１３４の半径は、０．１５、０．２または０．２５ミリメートルを含む０．１から０．３ミリメートルの間で変化してもよく、幅広い範囲が含まれかつ上記数値が含まれる。２つの接続壁１３２の間の鋭角は、６２．５、６５、６７．５、７０、７２．５、７５または７７．５度を含む６０から８０度の間で変更可能であり、幅広い範囲が含まれかつ上記数値が含まれる。
【００４０】
図４の実施形態は、中間リブ４の断面が略台形の形状を形成することを示す。いくつかの実施形態においては、中間リブ４の断面形状は、図３〜図５に図示される形状のいずれかあるいは他の公知の形状である。上述のように、中間リブ４は、深いリブ２から平坦かつ／または浅いリブ６への移行リブとして機能する。さらに、中間リブ４は、それぞれ、フープ強度および曲げ耐性などの深いリブ２と平坦かつ／または浅いリブ６とによるいくつかの利点を提供し得る。
【００４１】
図５に図示される実施形態の平坦かつ／または浅いリブ６の断面を参照すると、平坦かつ／または浅いリブ６は、グリップ部８の一部であるランド２８を有し、ランド２８は外側放射状部２３０に接続される。外側放射状部２３０は、接続壁２３２によって内側放射状部２３４に連結される。内側放射状部２３４は、接続壁２３２に連結され、ランド２８に接続する外側放射状部２３０に接続される。ランド２２８から内側放射状部２３４へ測定された深さＤｆは、０．１、０．２、０．３、０．４、０．５、０．６、０．７、０．８、０．９、１、１．１、１．２、１．３、１．４、１．５、１．６、１．７、１．８、１．９、２、２．１、２．２、２．３または２．４ミリメートルを含む０から２．５ミリメートルの間で変化してもよく、幅広い範囲が含まれかつ上記数値が含まれる。平坦かつ／または浅いリブ６の深さＤｆに対する深いリブ２の深さＤｄの比は、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１、２４：１、２５：１、２６：１、２７：１、２８：１あるいは２９：１を含む１：１から１００：１、または１：１から９０：１、１：１から８０：１、１：１から７０：１、１：１から６０：１、１：１から５０：１、１：１から４０：１、１：１から３０：１もしくは１：１から２０：１の間で変化してもよく、幅広い範囲が含まれかつ上記数値が含まれ、深さＤｆがゼロの場合は無限比（infinite ratio）となる。平坦かつ／または浅いリブ６の深さＤｆに対する中間リブ４の深さＤｍの比は、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１あるいは２４：１を含む１：１から５０：１、または１：１から４０：１、１：１から３０：１、もしくは１：１から２０：１の間で変化してもよく、幅広い範囲が含まれかつ上記数値が含まれ、深さＤｆがゼロの場合は無限比となる。内側放射状部２３４の半径は、０．１５、０．２、または０．２５ミリメートルを含む０．１から０．３ミリメートルの間で変化してもよく、幅広い範囲が含まれかつ上記数値が含まれる。２つの接続壁２３２の間の鋭角は、５２．５、５５、５７．５、６０、６２．５、６３．５６、６５または６７．５度を含む５０から７０度の間で変化してもよく、幅広い範囲が含まれかつ上記数値が含まれる。
【００４２】
図５の実施形態は、平坦かつ／または浅いリブ６の断面が略三角形状を形成することを示す。図５に図示されるように、この三角形状は、内側放射状部２３４を形成する丸みのある角を備える三角形の角のうちの１つの角に基づく三角形として表すことができる。図５には三角形状の平坦かつ／または浅いリブ６が図示されるが、平坦かつ／または浅いリブ６の断面形状は、図３〜図５に図示される形状のいずれかあるいは他の公知の形状であってもよい。三角形リブは、より良好な復元性および／または弾性を有し得るが、フープ強度はあまり高くないことがある。上述のように、凹状円柱部７を形成する平坦かつ／または浅いリブ６の集まりは、ボトル１をより強固なものとする。凹状円柱部７は、発生した接線力または圧縮力をベース２４へ伝達して、傾きおよび／または曲げを最小化するかもしくは防止できる。さらに凹状円柱部７は、実質的にボトル１の長さおよび高さに沿った伸びを抑制できる。図６に図示されるように、ボトルの実施形態は、三角形状のまたは平坦かつ／または浅いリブ６をボトル外周の２１、２２、２３、２４、２５、２６、２７、２８、または２９％を含む２０〜３０％の間で最小限に抑えてもよく、その結果、ボトルの外周の７１、７２、７３、７４、７５、７６、７７、７８、または７９％を含む７０〜８０％には、台形のリブまたは深いリブ２あるいは中間リブ４が設けられ、幅広い範囲が含まれかつ上記数値が含まれる。なお、台形リブ（あるいは公知の他の形状）に対する三角形リブの比は任意で規定されてもよい。
【００４３】
図７Ａに図示されるラベルパネルリブ２０の断面の実施形態を参照すると、ラベルパネルリブ２０は、ラベルパネル部１０の一部であるランド１２８を有し、ランド１２８は外側放射状部３３０に接続される。外側放射状部３３０は、接続壁３３２によって内側放射状部３３４に連結される。内側放射状部３３４は、底壁３３６によってラベルパネルリブ２０の他側における反対側の内側放射状部３３４に連結されており、続いて接続壁３３２に接続され、ランド１２８に接続する外側放射状部３３０に接続される。ランド１２８から底壁３３６へ測定された深さＤＬは、０．６、０．７、０．８、０．９、１、１．１、１．２、１．３、１．４、１．５、１．６、１．７、１．８、１．９、２、２．１、２．２、２．３、２．４、２．５、２．６、２．７、２．８、２．９、３、３．１、３．２、３．３、３．４、３．５、３．６、３．７、３．９、４、４．１、４．２、４．３、４．４、４．５、４．６、４．７、４．８あるいは４．９ミリメートルを含む０．５から１０ミリメートル、または０．５から９、０．５から７、０．５から５、もしくは０．５から３ミリメートルの間で変化してもよく、幅広い範囲が含まれかつ上記数値が含まれる。底壁３３６の長さは、０．４、０．５、０．６、０．７、０．８、０．９、１、１．１、１．２、１．３、１．４、１．５、１．６、１．７、１．８、１．９、２、２．１、２．２、２．３または２．４ミリメートルを含む０．３から２．５ミリメートルの間で変化してもよく、幅広い範囲が含まれかつ上記数値が含まれる。底壁３３６の長さに対する深さＤＬの比は、１：４、１：３、１：２、１：１、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１、２４：１、２５：１、２６：１、２７：１、２８：１、２９：１、３０：１、３１：１、３２：１、３３：１または３４：１を含む１：５から３５：１の間で変化してもよく、幅広い範囲が含まれかつ上記数値が含まれる。内側放射状部３３４の半径は、０．１５、０．２または０．２５ミリメートルを含む０．１から０．３ミリメートルの間で変化してもよく、幅広い範囲が含まれかつ上記数値が含まれる。外側放射状部３３０の半径は、０．６、０．７、０．８、０．９、１、１．１、１．２、１．３、１．４、１．５、１．６、１．７、１．８、１．９、２、２．１、２．２、２．３、２．４、２．５、２．６、２．７、２．８または２．９ミリメートルを含む０．５から３ミリメートルの間で変化してもよく、幅広い範囲が含まれかつ上記数値が含まれる。２つの接続壁３３２の間の鋭角は、５２．５、５５、５７．５、６０、６２．５、６５または６７．５度を含む５０から７０度の間で変更されてもよく、幅広い範囲が含まれかつ上記数値が含まれる。
【００４４】
図７Ａの実施形態は、ラベルパネルリブ２０の断面が略台形状を形成することを示す。いくつかの実施形態においては、ラベルパネルリブ２０の断面は、図３〜図５に図示された形状のいずれかまたは公知の他の形状である。ラベルパネルリブ２０は、上述のように深いリブ２および／または中間リブ４とほぼ同様の様式で機能してもよい。また、上述のように、ラベルパネルリブ２０は、凹状円柱部７の特徴部を含むよう、深いリブ２から中間リブ４へ、そして平坦かつ／または浅いリブ６へと変化する深さを有してもよく、それにより、フープ強度および／または曲げ耐性による利点を提供できる。ラベルパネルリブ２０はまた旋回または湾曲してもよい。
【００４５】
図１Ｂに図示されるように、図７Ａに図示されるラベルパネルリブ２０は、深さが変化するラベルパネルリブ２０ｂの深いリブ２ｂであってもよい。いくつかの実施形態においては、深さが変化するラベルパネルリブ２０ｂの深いリブ２ｂは、グリップ部リブ３の深いリブ２と同じものとすることができる。深いリブ２ｂは、中間リブ４、４ｂへ移行でき（図４）、続いて図７Ｂに図示されるように平坦かつ／または浅いリブ６へ移行できる。
【００４６】
図７Ｂに図示される実施形態の平坦かつ／または浅いリブ６ｂの断面を参照すると、平坦かつ／または浅いリブ６ｂは、ラベル部１０の一部であるランド３２８を有し、ランド３２８は外側放射状部５３０に接続される。外側放射状部５３０は、内側接続壁５３２が実質的に同じ曲率半径に沿って外側放射状部５３０の連続部となるように、内側放射状部５３４に直接接続できる。外側放射状部５３０は、接続壁５３２がなくても、内側放射状部５３４に接続できる。外側放射状部５３０の半径は、０．６、０．７、０．８、０．９、１、１．１、１．２、１．３、１．４、１．５、１．６、１．７、１．８、１．９、２、２．１、２．２、２．３および２．４ミリメートルを含む０．５から２．５ミリメートルの間で変化してもよく、幅広い範囲が含まれかつ上記数値が含まれる。いくつかの実施形態においては、外側放射状部５３０は、接続壁５３２によって内側放射状部５３４に連結される。内側放射状部５３４は、底壁５３６によって平坦かつ／または浅いリブ６の他側における反対側の内側放射状部５３４に連結され、続いて接続壁５３２へ接続され、ランド３２８に接続される外側放射状部５３０へ接続される。内側放射状部５３４は、平坦かつ／または浅いリブ６ｂがその断面形状において図７Ｂに図示されるようにノブ（つまみ）形状および／または略台形状を付与されるように、外側放射状部５３０より小さくできる。いくつかの実施形態においては、外側放射状部５３０の半径および／または内側放射状部５３４の半径は、０．１５、０．２または０．２５ミリメートルを含む０．１から０．３ミリメートルの間で変化し、幅広い範囲が含まれかつ上記数値が含まれる。
【００４７】
ランド３２８から内側放射状部５３４へ測定された深さＤｓは、０．１、０．２、０．３、０．４、０．５、０．６、０．７、０．８、０．９、１、１．１、１．２、１．３、１．４、１．５、１．６、１．７、１．８、１．９、２、２．１、２．２、２．３または２．４ミリメートルを含む０から２．５ミリメートルの間で変化してもよく、幅広い範囲が含まれかつ上記数値が含まれる。平坦かつ／または浅いリブ６ｂの深さＤｓに対する深いリブ２の深さＤｄ（図３）の比は、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１、２４：１、２５：１、２６：１、２７：１、２８：１あるいは２９：１を含む１：１から１００：１、または１：１から９０：１、１：１から８０：１、１：１から７０：１、１：１から６０：１、１：１から５０：１、１：１から４０：１、１：１から３０：１もしくは１：１から２０：１の間で変化してもよく、幅広い範囲が含まれかつ上記数値が含まれ、深さＤｓがゼロの場合は無限比となる。平坦かつ／または浅いリブ６ｂの深さＤｓに対する深いリブ２ｂの深さＤＬ（図７Ａ）の比は、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１、２４：１、２５：１、２６：１、２７：１、２８：１あるいは２９：１を含む１：１から１００：１、または１：１から９０：１、１：１から８０：１、１：１から７０：１、１：１から６０：１、１：１から５０：１、１：１から４０：１、１：１から３０：１もしくは１：１から２０：１の間で変化してもよく、幅広い範囲が含まれかつ上記数値が含まれ、深さＤｓがゼロの場合は無限比となる。
【００４８】
底壁５３６の長さは、０．４、０．５、０．６、０．７、０．８、０．９、１、１．１、１．２、１．３、１．４、１．５、１．６、１．７、１．８、１．９、２、２．１、２．２、２．３、２．４、２．５、２．６、２．７、２．８、２．９、３、３．１、３．２、３．３、３．４、３．５、３．６、３．７、３．８または３．９ミリメートルを含む０．３から４ミリメートルの間で変化してもよく、幅広い範囲が含まれかつ上記数値が含まれる。底壁５３６の長さに対する深さＤｓの比は、１：３９、１：３８、１：３７、１：３６、１：３５、１：３４、１：３３、１：３２、１：３１、１：３０、１：２９、１：２８、１：２７、１：２６、１：２５、１：２４、１：２３、１：２２、１：２１、１：２０、１：１９、１：１８、１：１７、１：１６、１：１５、１：１４、１：１３、１：１２、１：１１、１：１０、１：９、１：８、１：７、１：６、１：５、１：４、１：３、１：２、１：１、２：１、３：１、４：１、５：１、６：１、７：１、８：１あるいは９：１を含む１：４０から１０：１の間で変更可能であり、幅広い範囲が含まれかつ上記数値が含まれ、深さＤｓがゼロの場合は無限比となる。平坦かつ／または浅いリブ６ｂの深さＤｓに対する中間リブ４、４ｂの深さＤｍの比は、２：１、３：１、４：１、５：１、６：１、７：１、８：１、９：１、１０：１、１１：１、１２：１、１３：１、１４：１、１５：１、１６：１、１７：１、１８：１、１９：１、２０：１、２１：１、２２：１、２３：１あるいは２４：１を含む１：１から５０：１、または１：１から４０：１、１：１から３０：１、もしくは１：１から２０：１の間で変化してもよく、幅広い範囲が含まれかつ上記数値が含まれ、深さＤｓがゼロの場合は無限比となる。２つの接続壁５３２の間の鋭角は、５２．５、５５、５７．５、６０、６２．５、６３．５６、６５、６７．５、７０、７２．５、７５、または７７．５度を含む、５０から８０度の間で変化してもよく、幅広い範囲が含まれかつ上記数値が含まれる。
【００４９】
図７Ｂの実施形態は、平坦かつ／または浅いリブ６ｂの断面が略台形の形状を形成することを例示する。台形状の平坦かつ／または浅いリブ６ｂは、本明細書で開示される台形状のリブ（例えば深いリブ２）の特徴部および利点の一部を提供すると同時に、本明細書で説明されるような三角形状の平坦かつ／または浅いリブ６の特徴部および利点を有することができる。図７Ｂには台形状の平坦かつ／または浅いリブ６ｂが図示されるが、平坦かつ／または浅いリブ６ｂの断面形状は、図３〜図５、図７Ａに図示される形状のいずれかであっても、あるいは公知の他の形状であってもよい。上述のように、凹状柱状部７ｂを形成する平坦かつ／または浅いリブ６、６ｂの集まりは、ボトル１ｂをより強固にする。凹状柱状部７ｂは、発生した接線力または圧縮力をベース２４へ伝達して、傾きおよび／または曲げを最小にするかまたは防止することができる。さらに凹状柱状部７ｂは、実質的にボトル１ｂの長さまたは高さに沿った伸びを抑制できる。
【００５０】
図８に詳細に図示されるベースリブ２２の実施形態によれば、ベースリブ２２は、ベース２４の一部であるランド２２８を有しており、ランド２２８は、外側放射状部４３０に接続される。外側放射状部４３０は、接続壁４３２によって内側放射状部４３４に連結される。内側放射状部４３４は、底壁４３６によってベースリブ２２の他側における反対側の内側放射状部４３４に連結され、続いて接続壁４３２に接続され、ランド２２８に接続する外側放射状部４３０に接続される。ランド４２８から底壁４３６へ向けて測定される深さＤｂは、０．４、０．５、０．６、０．７、０．８、０．９、１、１．１、１．２、１．３、１．４、１．５、１．６、１．７、１．８、１．９、２、２．１、２．２、２．３あるいは２．４ミリメートルを含む０．３から１０ミリメートル、または０．３から９、０．３から７、０．３から５、もしくは０．３から３ミリメートルの間で変化してもよく、幅広い範囲が含まれかつ上記数値が含まれる。底壁４３６の長さは、０．６、０．７、０．８、０．９、１、１．１、１．２、１．３、１．４、１．５、１．６、１．７、１．８、１．９、２、２．１、２．２、２．３、２．４、２．５、２．６、２．７、２．８、または２．９ミリメートルを含む０．５から３ミリメートルの間で変化してもよく、幅広い範囲が含まれかつ上記数値が含まれる。底壁４３６の長さに対する深さＤｂの比は、１：９、１：８、１：７、１：６、１：５、１：４、１：３、１：２、１：１、２：１、３：１、４：１、５：１、６：１、７：１、８：１、９：１、１０：１、１１：１、１２：１、１３：１、１４：１、１５：１、１６：１、１７：１、１８：１、または１９：１を含む１：１０から２０：１の間で変化してもよく、幅広い範囲が含まれかつ上記数値が含まれる。内側放射状部４３４の半径は、０．１５、０．２、または０．２５ミリメートルを含む０．１から０．３ミリメートルの間で変化してもよく、幅広い範囲が含まれかつ上記数値が含まれる。外側放射状部４３０の半径は、０．６、０．７、０．８、０．９、１、１．１、１．２、１．３、１．４、１．５、１．６、１．７、１．８、１．９、２、２．１、２．２、２．３、２．４、２．５、２．６、２．７、２．８または２．９ミリメートルを含む０．５から３ミリメートルの間で変更可能であり、幅広い範囲が含まれかつ上記数値が含まれる。２つの接続壁４３２の間の角度は、８２．５、８５、８７．５、９０、９２．５、９５、９７．５、１００、１０２．５、１０５、１０７．５、１１０、１１２．５、１１５または１１７．５度を含む８０から１２０度の間で変化してもよく、幅広い範囲が含まれかつ上記数値が含まれる。
【００５１】
図８の実施形態は、ベースリブ２２の断面が略台形の形状を形成することを示す。いくつかの実施形態においては、ベースリブ２２の断面は図３〜図５に図示される形状のいずれかまたは公知の他の形状である。台形状のベースリブ２２は、加工ラインでのネスティング（nesting）を低減できる。ベースリブ２２は、上述のような深いリブ２および／または中間リブ４とほぼ同様の様式で機能してもよい。さらに上述のように、ベースプレート２２は、凹状円柱部７の特徴部を含むように深いリブ２から中間リブ４へ、そして平坦かつ／または浅いリブ６へと変化する深さを有してもよく、それによりフープ強度および／または曲げ耐性による利点が付与される。ベースリブ２２はまた旋回または湾曲してもよい。
【００５２】
本明細書に開示されるリブの実施形態は、ボトルのどの部分でも相互置換可能に使用できる。例えばグリップ部リブ３は、ラベル部１０に使用できる。他の例では、グリップ部リブ３はベースリブ２２としても使用できる。別の例では、ラベルパネルリブ２０は、グリップ部８に使用できる。別の例では、ラベルパネルリブ２０は、ベースリブ２２として使用できる。別の例では、ラベルパネルリブ２０ｂは、グリップ部８に使用できる。別の例では、ラベルパネルリブ２０ｂは、ベースリブ２２として使用できる。別の例では、ベースリブ２２は、ラベル部１０に使用できる。別の例では、ベースリブ２２は、グリップ部８に使用できる。
【００５３】
図９Ａおよび図９Ｂの実施形態はボトル１のワイヤフレームモデルを示す。図９Ｂは、図９Ａのボトル１を１２０度回転された状態で示す図であり、図示されるボトル１の実施形態は、略垂直方向に整列された平坦かつ／または浅いリブ６を備える３つの凹状円柱部７を備える。図９Ａには、平坦なリブまたは凹状円柱部７の正面図を示す。図９Ｂには、深いリブ２の正面図を示す。図９Ａおよび図９Ｂは、一実施形態の平坦かつ／または浅いリブ６から深いリブ２への滑らかな移行部を図示する。図９Ａおよび図９Ｂはまた、グリップ部リブ３の滑らかな旋回および湾曲を示す。図９Ａおよび９Ｂはさらに、一定の深さのラベルパネルリブ２０とベースリブ２２とを示す。なお上述のように、凹状円柱部７および／またはグリップ部リブ３を含むが旋回や湾曲しないラベルパネルリブ２０およびベースリブ２２などの、上述の特徴部の任意の組み合わせあるいは上述の特徴部を任意で含まないものがボトル１に含まれてもよい。
【００５４】
図９Ｃおよび図９Ｄの実施形態は、ボトル１ｂのワイヤフレームモデルを図示する。図９Ｂは、図９Ａのボトルを１２０度回転したものを示しており、図示されるボトル１ｂの実施形態は、略垂直方向に整列された平坦かつ／または浅いリブ６、６ｂを備える３つの凹状円柱部７を備える。図９Ｃは、平坦なリブまたは凹状円柱部７の正面図を示す。図９Ｄは、深いリブ２、２ｂの正面図を示す。図９Ｃおよび図９Ｄは、一実施形態の平坦かつ／または浅いリブ６、６ｂから深いリブ２、２ｂへの滑らかな移行部を図示する。図９Ｃおよび図９Ｄはまた、グリップ部リブ３の滑らかな旋回または湾曲を図示する。いくつかの実施形態においては、グリップ部リブ３は、ボトルの外周または円周の周りで実質的にまっすぐとなっている。いくつかの実施形態においては、ラベルパネルリブ２０ｂは、ボトルの外周または円周の周りで旋回するかもしくは湾曲している。図９Ｃおよび図９Ｄはさらに、一定の深さのベースプレート２２を図示する。なお上述のように、上記特徴部を任意で組み合わせたものまたはそれを欠いたものがボトル１ｂに備えられてもよい。
【００５５】
図１０Ａは、ボトル１の一実施形態の中心軸線２５に沿った断面を示す。図１０Ａに図示されるように、平坦なリブまたは凹状円柱部７は、ボトルの外周のうち深いリブ２部分の反対側に配置されている（例えば一実施形態では３つの凹状円柱部７を備える）。図示された実施形態においては、ラベルパネルリブ２０およびベースリブ２２の両方が、ボトル１の外周全体にわたって一定の断面を有している。いくつかの実施形態においては、ベース２４Ｌｄの直径は、ボトル１の他の直径よりも、０．５から２ミリメートルだけさらに大きく、０．６、０．７、０．８、０．９、１、１．１、１．２、１．３、１．４、１．５、１．６、１．７、１．８または１．９ミリメートルだけさらに大きくなっており、幅広い範囲が含まれかつ上記数値が含まれる。ボトル１の最大直径がＬｄとなる実施形態においては、そのボトルは、製造ラインにおいてかつ／またはパッケージング中に、ベース２４においてのみ、実質的に同じ他のボトルとのただ１つの接触点を有する。さらに、より大きなベース２４直径Ｌｄは、ベース２４がなんらかの損傷を受けた場合の安定性を向上し得る。図１０Ａに図示されるように、ショルダ１８における直径Ｌｓは、直径Ｌｄと等しくてもよく、それにより、製造ラインにおいてかつ／またはパッケージング中に、ショルダ１８とおよびベース２４において、実質的に同じ他のボトルとの２つの接触点が提供される。いくつかの実施形態においては、ボトル１の任意の部分の直径は変更され、そのときのその最も直径の大きな部分が製造ラインにおけるかつ／またはパッケージング中の接触点をもたらす。ボトルは、１つだけの接触点あるいは複数の接触点のいずれを有してもよい。
【００５６】
図１０Ｂには、ボトル１ｂの一実施形態の中心軸線２５に沿った断面が図示される。図１０Ｂに図示されるように、平坦なリブまたは凹状円柱部７ｂは、ボトルの外周のうち深いリブ２ｂ部分の反対側に配置されてもよい（例えば一実施形態は３つの凹状円柱部７ｂを有する）。図示される実施形態においては、ベースリブ２２は、ボトル１ｂの外周全体にわたって一定の断面を有する。いくつかの実施形態においては、上述の特徴部および利点が得られるように、ベース２４の直径Ｌｄは、ボトル１ｂの他の部分の直径よりも０．５から２ミリメートルさらに大きく、０．６、０．７、０．８、０．９、１、１．１、１．２、１．３、１．４、１．５、１．６、１．７、１．８または１．９ミリメートルさらに大きく、幅広い範囲が含まれかつ上記数値が含まれる。図１０Ｂに図示されるように、ショルダ１８の直径Ｌｓは、直径Ｌｄと等しくてもよく、それにより、製造ラインにおけるかつ／またはパッケージング中の、ショルダ１８およびベース２４における、実質的に同じ他のボトルとの２つの接触点が提供される。いくつかの実施形態においては、ボトル１ｂの任意の部分の直径は変化し、その最も直径の大きな部分が、製造ラインにおけるかつ／またはパッケージング中における接触点を形成する。ボトルは、１つだけの接触点あるいは複数の接触点のいずれを有していてもよい。
【００５７】
図９Ｂおよび図９Ｃを参照すると、ベル形状部１６は、終端部１２の垂直壁からベル形状部１６の下方に傾斜する壁へ向けて測定される多様なベル角度を有してもよい。ベル角度２６は、１２２、１２５、１２７、１３０、１３２、１３５、１３７、１４０、１４２、１４５、１４７、１５０、１５２、１５５、１５７、１６０、１６２、１６５、１６７、１７０または１７２度を含む１２０から１７５度の間で変動する鈍角であり、幅広い範囲が含まれかつ上記数値が含まれる。図１１を参照すると、θ２で示されるベル角度２６は、θ１で示されるベル角度２６より大きい。θ２のベル角度２６を備えるベル形状部２６は、θ１のベル角度２６を備えるベル形状部２６に比べて勾配が急となっている。勾配が急なベル形状部１６の壁は、ベル形状部１６の壁の厚さを維持したままあるいはさらに薄くしつつ、ボトル１、１ｂの上方負荷の許容能力を高めることができる。
【００５８】
図１２によれば、ボトル１、１ｂの実施形態は、軽量なボトルを形成するために薄壁の終端部１２と薄壁のネック１４とを備えるプリフォーム３８を使用してもよい。薄壁のネック１４は、ブロー効率性を向上させ、ボトルを軽量にする。薄壁のネック１４は、ボトルの重要な寸法部分を保護しかつ製造ブロー工程を安定させることに役立つ特徴部である。薄壁のネック１４はまた、少ない量の樹脂を利用する一方で所望の機械的パフォーマンスを実現することができ、それにより当該産業による石油製品の使用量が低減される。プリフォーム３８からなる薄壁のネック１４は、上述のより大きなベル角度２６および／またはより勾配の急なベル形状部１６の壁を備えるボトル１、１ｂの形成の役に立つことができる。また上述のように、より勾配が急でありかつ相対的に薄手のベル形状部１６の壁は、より大きな上方負荷力を支持でき、この上方負荷力は、凹状円柱部７、７ｂを介してベース２４へ伝達可能となる。したがって、本明細書に開示される実施形態は、ベース２４が損傷を受けた場合であってもより大きな上方負荷力に耐えるよう構成された厚手のベース２４を包含し得る。薄壁のネック１４と薄手のベル形状部１６の壁とにより、厚手のベース２４の実現が促進される。
【００５９】
本明細書で実質的に使用される複数形の用語／単数形の用語に関して、これら用語が、文脈および／またはその用途に応じて、複数形から単数形へかつ／または単数形から複数形へ置き換えることができることは当業者には明らかであろう。さまざまな単数形／複数形の置き換えが、明瞭にするために本明細書で明確に明記され得る。
【００６０】
一般的には、本明細書で使用される用語は基本的に「オープンな」用語を意図している（例えば「含んでいる」との用語は、「それを含んでいるがそれに限定されない」と解釈すべきであり、「有する」との用語は、「少なくともそれを有する」と解釈すべきであり、「含む」との用語は、「それを含むがそれに限定されない」と解釈すべきである）ことを当業者は理解されたい。さらに、上述の実施形態の説明に関して特定の数字が記載されているが、そうした記載は、明確にはその実施形態に関して示されたものであり、そのような説明がない場合にはそうした意図が存在しないことを当業者は理解されたい。例えば、理解を促すために、本明細書は、実施形態の説明の導入のための前置き表現として「少なくとも１つ」および「１つ以上」との記載を慣習的に含み得る。なお、同じ実施形態が、前置き表現としての「１つ以上の」または「少なくとも１つの」および「ａ」または「ａｎ」などの不定冠詞を含む（例えば「ａ」および／または「ａｎ」は典型的には「少なくとも１つの」または「１つ以上」を意味すると解釈すべきである）場合でさえも、そうした表現の使用は、非限定的な冠詞「ａ」または「ａｎ」により前置きをされた実施形態の記載が、そうした前置きをされた実施形態の説明を含む特定の実施形態を、そうした記載のみを含む実施形態に限定することを示唆すると解釈されるべきではない；実施形態の説明の前置きに使用される特定の冠詞の使用についても同様のことが言える。加えて、前置きされる実施形態の説明の特定の数字が明記されていても、当業者には、そうした記載は典型的には少なくともその数を有すると解釈すべきである（例えば他の変更例を含まない「２つの記載」との単なる記載は基本的には少なくとも２つの記載を示す、つまり２つ以上の記載を意味する）ことは理解されるだろう。さらにこうした「少なくとも１つのＡ、ＢおよびＣなど」に似た慣習的表現が用いられる場合において、一般的に、そうした慣習は、当業者がその意味においてその慣習を理解し得ると意図されている（例えば「Ａ、ＢおよびＣの少なくとも１つを有するシステム」は、それらを含むが、Ａのみを含むシステム、Ｂのみを含むシステム、Ｃのみを含むシステム、ＡとＢとを含むシステム、ＡとＣとを含むシステム、ＢとＣとを含むシステム、および／または、ＡとＢとＣとを含むシステムなどに限定されない）。「Ａ、ＢおよびＣなどの少なくとも１つ」に類似する慣習が使用される場合、一般的にそうした記載は、当業者はその意味においてそうした慣習を理解し得ると意図されている（例えば「Ａ、ＢまたはＣの少なくとも１つを有するシステム」は、それらを含むが、Ａのみを有するシステム、Ｂのみを有するシステム、Ｃのみを有するシステム、ＡとＢとを有するシステム、ＡとＣとを有するシステム、ＢとＣとを有するシステム、および／またはＡとＢとＣとを有するシステムなどに限定されない）。さらに、当業者には、実質的には、その説明、実施形態または図面において２つ以上の互換可能な用語が存在する離接語および／またはフレーズが、それら用語のうちの１つ、それら用語のいずれかまたはそれら用語の両方を含む可能性があることを理解すべきであることを理解されたい。例えば「ＡまたはＢ」との表現は、「Ａ」あるいは「Ｂ」もしくは「ＡおよびＢ」の可能性を含むことを理解されたい。
【００６１】
本明細書では本発明は特定の実施形態および特定の例示的な方法に関連して説明されたが、本発明の範囲はそれに限定されないことを理解されたい。むしろ、出願人は、当業者には明らかな、本明細書に開示された方法および材料における様々な変更が、出願人の発明の範囲内に包含されるものと意図している。
【符号の説明】
【００６２】
１、１ｂ  ボトル
２、２ｂ  深いリブ
３  グリップ部リブ
４、４ｂ  中間リブ
６、６ｂ  浅いリブ
７  凹状円柱部
８  グリップ部
１０  ラベル部
１１  開口
１２  終端部
１４  ネック
１６  ベル形状部
１８  ショルダ
２０  ラベルパネルリブ
２２  ベースリブ
２４  ベース
２５  中心軸線
２６  ベル形状部
２８、１２８、２２８、３２８  ランド
３０、１３０、２３０、３３０、４３０  外側放射状部
３２、２３２、３３２、４３２  接続壁
３４、１３４、２３４、３３４、４３４  内側放射状部
３６、１３６、２３６、３３６、４３６  谷壁
３８  プリフォーム
【図１Ａ】
2019206394.tif 000003
【図１Ｂ】
2019206394.tif 000004
【図２Ａ】
2019206394.tif 000005
【図２Ｂ】
2019206394.tif 000006
【図３】
2019206394.tif 000007
【図４】
2019206394.tif 000008
【図５】
2019206394.tif 000009
【図６Ａ】
2019206394.tif 000010
【図６Ｂ】
2019206394.tif 000011
【図７Ａ】
2019206394.tif 000012
【図７Ｂ】
2019206394.tif 000013
【図８】
2019206394.tif 000014
【図９Ａ】
2019206394.tif 000015
【図９Ｂ】
2019206394.tif 000016
【図９Ｃ】
2019206394.tif 000017
【図９Ｄ】
2019206394.tif 000018
【図１０Ａ】
2019206394.tif 000019
【図１０Ｂ】
2019206394.tif 000020
【図１１】
2019206394.tif 000021
【図１２】
2019206394.tif 000022
【外国語明細書】
2019206394000001.pdf